【手続補正書】
【提出日】平成18年10月24日(2006.10.24)
【手続補正１】
【補正対象書類名】明細書
【補正対象項目名】特許請求の範囲
【補正方法】変更
【補正の内容】
【特許請求の範囲】
【請求項１】  構造：
【化１】
2002525359.tif 000001
式中：
Ｘは、ジハロ、モノアルコキシ置換されたフェニル環であり；
Ｚは、−NH−であり；
Ｒ1およびＲ4は、それぞれ、水素であり；
Ｇ1およびＧ2はそれぞれ独立して、水素、ハロゲン、１〜６個の炭素原子のアルキル、２〜６個の炭素原子のアルケニル、２〜６個の炭素原子のアルキニル、２〜６個の炭素原子のアルケニルオキシ、２〜６個の炭素原子のアルキニルオキシ、ヒドロキシメチル、ハロメチル、１〜６個の炭素原子のアルカノイルオキシ、３〜８個の炭素原子のアルケノイルオキシ、３〜８個の炭素原子のアルキノイルオキシ、２〜７個の炭素原子のアルカノイルオキシメチル、４〜９個の炭素原子のアルケノイルオキシメチル、４〜９個の炭素原子のアルキノイルオキシメチル、２〜７個の炭素原子のアルコキシメチル、１〜６個の炭素原子のアルコキシ、１〜６個の炭素原子のアルキルチオ、１〜６個の炭素原子のアルキルスルフィニル、１〜６個の炭素原子のアルキルスルホニル、１〜６個の炭素原子のアルキルスルホンアミド、２〜６個の炭素原子のアルケニルスルホンアミド、２〜６個の炭素原子のアルキニルスルホンアミド、ヒドロキシ、トリフルオロメチル、トリフルオロメトキシ、シアノ、ニトロ、カルボキシ、２〜７個の炭素原子のカルボアルコキシ、２〜７個の炭素原子のカルボアルキル、フェノキシ、フェニル、チオフェノキシ、ベンジル、アミノ、ヒドロキシアミノ、１〜４個の炭素原子のアルコキシアミノ、１〜６個の炭素原子のアルキルアミノ、２〜１２個の炭素原子のジアルキルアミノ、N-アルキルカルバモイル、N,N-ジアルキルカルバモイル、４〜１２個の炭素原子のN-アルキル-N-アルケニルアミノ、６〜１２個の炭素原子のN,N-ジアルケニルアミノ、フェニルアミノ、ベジルアミノ、
【化２】
2002525359.tif 000002
であるが、ただしＧ1またはＧ2のいずれか、あるいはＧ1およびＧ2の両方が群
【化３】
2002525359.tif 000003
から選択される基でなければならず；
Ｙは、−O−であり；
Ｒ7は、-NR6R6、-J、-OR6、-N(R6)3+または-NR6(OR6)であり；
Ｒ'7は、-NR6(OR6)、-N(R6)3+、１〜６個の炭素原子のアルケンオキシ、１〜６個の炭素原子のアルキンオキシ、４〜１２個の炭素原子のN-アルキル-N-アルケニルアミノ、６〜１２個の炭素原子のN,N-ジアルケルニルアミノ、４〜１２個の炭素原子のN-アルキル-N-アルキニルアミノ、４〜１２個の炭素原子のN-アルケニル-N-アルキニルアミノまたは６〜１２個の炭素原子のN,N-ジアルキニルアミノであるが、ただしアルケニルまたはアルキニル部分は飽和炭素原子を通して窒素または酸素原子に結合しており；
Ｍは、＞NR6、-O-、＞N-(C(R6)2)pNR6R6または＞N-(C(R6)2)p-OR6であり;
Ｗは、＞NR6、-O-であるか、あるいは結合であり；
Hetは、モルホリン、チオモルホリン、チオモルホリン S-オキシド、チオモルホリン S,S-ジオキシド、ピペリジン、ピロリジン、アジリジン、ピリジン、イミダゾール、1,2,3-トリアゾール、1,2,4-トリアゾール、チアゾール、チアゾリジン、テトラゾール、ピペラジン、フラン、チオフェン、テトラヒドロチオフェン、テトラヒドロフラン、ジオキサン、1,3-ジオキソラン、テトラヒドロピラン、および
【化５】
2002525359.tif 000004
から成る群から選択される複素環であり；
ここで該複素環は炭素または窒素上でＲ6により場合によりモノ-もしくはジ-置換されてもよく、炭素上でヒドロキシ、-N(R6)2もしくは-OR6により場合によりモノ-またはジ-置換されてもよく、炭素上で一価の基である-(C(R6)2)SOR6もしくは-(C(R6)2)SN(R6)2により場合によりモノ-またはジ-置換されてもよく、または飽和炭素上で二価の基である-O-または-O(C(R6)2)sO-により場合によりモノ-またはジ-置換されてもよく；
Ｒ6は、水素、１〜６個の炭素原子のアルキル、２〜６個の炭素原子のアルケニル、２〜６個の炭素原子のアルキニル、１〜６個の炭素原子のシクロアルキル、２〜７個の炭素原子のカルボアルキル、カルボキシアルキル（２〜７個の炭素原子）、フェニル、またはハロゲン、１〜６個の炭素原子のアルコキシ、トリフルオロメチル、アミノ、１〜３個の炭素原子のアルキルアミノ、２〜６個の炭素原子のジアルキルアミノ、ニトロ、シアノ、アジド、ハロメチル、２〜７個の炭素原子のアルコキシメチル、２〜７個の炭素原子のアルカノイルオキシメチル、１〜６個の炭素原子のアルキルチオ、ヒドロキシ、カルボキシル、２〜７個の炭素原子のカルボアルコキシ、フェノキシ、フェニル、チオフェノキシ、ベゾイル、ベンジル、フェニルアミノ、ベンジルアミノ、１〜６個の炭素原子のアルカノイルアミノもしくは１〜６個の炭素原子のアルキルの１以上により場合により置換されてもよいフェニルであり；
Ｒ2は、
【化６】
2002525359.tif 000005
【化７】
2002525359.tif 000006
から成る群から選択され；
Ｒ3は、独立して水素、１〜６個の炭素原子のアルキル、カルボキシ、１〜６個の炭素原子のカルボアルコキシ、フェニル、２〜７個の炭素原子のカルボアルキル、
【化８】
2002525359.tif 000007
であるが、ただしＲ3の少なくとも１つは、群
【化９】
2002525359.tif 000008
から選択され；また、ただしＲ3の少なくとも１つについてのHet-(C(R6)2)q-W-(C(R6)2)r-部分は、アルキル基が１〜６個の炭素原子であるモルホリノ-N-アルキル、アルキル基が１〜６個の炭素原子であるピペリジノ-N-アルキル、いずれかのアルキル基が１〜６個の炭素原子であるN-アルキルピペリジノ-N-アルキル、または３〜１１個の炭素原子のアザシクロアルキル-N-アルキルになることができず；
Ｒ5は、独立して水素、１〜６個の炭素原子のアルキル、カルボキシ、１〜６個の炭素原子のカルボアルコキシ、フェニル、２〜７個の炭素原子のカルボアルキル、
【化１０】
2002525359.tif 000009
であり；
Ｒ8およびＲ9は、それぞれ独立して、-(C(R6)2)rNR6R6または-(C(R6)2)rOR6であり；
Ｊは、独立して水素、塩素、フッ素または臭素であり；
Ｑは、１〜６個の炭素原子のアルキルまたは水素であり；
ａ＝０または１；
ｇ＝１〜６；
ｋ＝０〜４；
ｎは０であり；
ｐ＝２〜４；
ｑ＝０〜４；
ｒ＝１〜４；
ｓ＝１〜６；
ｕ＝０〜４、そしてｖ＝０〜４、ここでｕ＋ｖの和は２〜４であり；
ただし
Ｒ6が２〜７個の炭素原子のアルケニルまたは２〜７個の炭素原子のアルキニルである時、そのようなアルケニルまたはアルキニル部分は、飽和炭素原子を通して窒素または酸素原子に結合し；そしてさらにただし、
Ｍが-O-であり、そしてR7が-OR6である時、ｐ＝１〜４；
Ｙが-O-であり、そしてＭまたはＷが-O-である時、ｋ＝１〜４；
Ｗが窒素原子を通して結合したHetと結合していない時、ｑ＝２〜４；そして
Ｗが窒素原子を通して結合したHetと結合しており、Ｙが-O-である時、ｋ＝２〜４である；
を有する式１の化合物、またはその医薬的に許容できる塩。
【請求項２】  Ｘが２，４−ジハロ−５−アルコキシフェニル環である請求項１に記載の化合物。
【請求項３】  Ｘが２，４−ジクロロ−５−メトキシフェニル環である請求項２に記載の化合物。
【請求項４】  Ｇ1がアルコキシである請求項１に記載の化合物。
【請求項５】  Ｇ1がメトキシである請求項４に記載の化合物。
【請求項６】  Ｇ2が？Y-(C(R6)2)k-W-(C(R6)2)q-Hetである請求項１記載の化合物。
【請求項７】  Hetがピペリジン、ピロリジン、ピリジン、イミダゾール、１，２，３−トリアゾール、１，２，４−トリアゾール、テトラゾールおよびピペラジンからなる群から選択される複素環であり、ここで該複素環は炭素または窒素上でＲ6により場合によりモノ-もしくはジ-置換されてもよく、炭素上でヒドロキシ、-N(R6)2もしくは-OR6により場合によりモノ-またはジ-置換されてもよく、炭素上で一価の基である-(C(R6)2)SOR6もしくは-(C(R6)2)SN(R6)2により場合によりモノ-またはジ-置換されてもよく、または飽和炭素上で二価の基である-O-または-O(C(R6)2)sO-により場合によりモノ-またはジ-置換されてもよい、請求項６記載の化合物。
【請求項８】  Ｇ2が-アルコキシ-Hetである、請求項７記載の化合物。
【請求項９】  Ｇ2が-プロポキシ-Hetである、請求項８記載の化合物。
【請求項１０】  Ｘが２，４−ジクロロ−５−メトキシフェニルであり、
Ｇ1がメトキシであり、そしてＧ2がプロポキシ-Hetである請求項１記載の化合物。
【請求項１１】
a) 1-メチル-1,2,5,6-テトラヒドロ-ピリジン-3-カルボン酸[4-(3-ブロモフェニルアミノ)-3-シアノ-キノリン-6-イル]-アミドまたはその医薬的に許容できる塩；
b) N-[4-[(3-ブロモフェニル)アミノ]-3-シアノ-6-キノリニル]-4-(N-アリル-N-メチルアミノ)-2-ブチンアミドまたはその医薬的に許容できる塩；
c) N-[4-[(3-ブロモフェニル)アミノ]-3-シアノ-6-キノリニル]-4-(N-メトキシエチル-N-メチルアミノ)-2-ブチンアミドまたはその医薬的に許容できる塩；
d) N-[4-[(3-ブロモフェニル)アミノ]-3-シアノ-6-キノリニル]-4-(ビス-(2-メトキシエチル)アミノ)-2-ブチンアミドまたはその医薬的に許容できる塩；
f) 4-(4-クロロ-2-フルオロ-フェニルアミノ)-6-メトキシ-7-(2-ピリジン-4-イル-エトキシ)-キノリン-3-カルボニトリルまたはその医薬的に許容できる塩；
g) 4-(2-メトキシ-エトキシ)-ブタ-2-イン酸[4-(3-ブロモフェニルアミノ)-3-シアノキノリン-6-イル]-アミドまたはその医薬的に許容できる塩；
h) 4-((2S)-2-メトキシメチルピロリジン-1-イル)ブタ-2-イン酸[4-(3-ブロモフェニルアミノ)-3-シアノキノリン-6-イル]-アミドまたはその医薬的に許容できる塩；
i) 4-(1,4-ジオキサ-8-アザスピロ[4,5]デカ-8-イル)ブタ-2-イン酸[4-(3-ブロモフェニルアミノ)-3-シアノキノリン-6-イル]アミドまたはその医薬的に許容できる塩；
j) 4-(3-ブロモ-フェニルアミノ)-6-(2-エトキシ-3,4-ジオキソ-シクロブト-1-エニルアミノ)-キノリン-3-カルボニトリルまたはその医薬的に許容できる塩；
k) 4-[(2-メトキシ-エチル)-メチル-アミノ]-ブタ-2-エン酸[4-(3-クロロ-4-フルオロフェニルアミノ)-3-シアノ-7-メトキシ-キノリン-6-イル]-アミドまたはその医薬的に許容できる塩；
l) (S)-4-(2-メトキシメチル-ピロリジン-1-イル)-ブタ-2-エン酸[4-(3-クロロ-4-フルオロフェニルアミノ)-3-シアノ-7-メトキシ-キノリン-6-イル]-アミドジヒドロクロライドまたはその医薬的に許容できる塩；
m) 4-(3-ヒドロキシメチル-ピペリジン-1-イル)-ブタ-2-エン酸[4-(3-クロロ-4-フルオロフェニルアミノ)-3-シアノ-7-メトキシ-キノリン-6-イル]-アミドまたはその医薬的に許容できる塩；
n) 4-(1,4-ジオキサ-8-アザ-スピロ[4,5]デシ-8-イル)-ブタ-2-エン酸[4-(3-クロロ-4-フルオロ-フェニルアミノ)-3-シアノ-7-メトキシ-キノリン-6-イル]-アミドまたはその医薬的に許容できる塩；
o) 4-(2-ヒドロキシメチル-ピペリジン-1-イル)-ブタ-2-エン酸[4-(3-クロロ-4-フルオロ-フェニルアミノ)-3-シアノ-7-メトキシ-キノリン-6-イル]-アミドまたはその医薬的に許容できる塩；
p) 4-ブロモ-ブテ-2-エン酸[4-(3-クロロ-4-フルオロ-フェニルアミノ)-3-シアノ-7-メトキシ-キノリン-6-イル]-アミドまたはその医薬的に許容できる塩；
q) 4-(3-ヒドロキシ-4-メチル-フェニルアミノ)-6-メトキシ-7-(3-ピリジン-4-イル-プロポキシ)-キノリン-3-カルボニトリルまたはその医薬的に許容できる塩；
r) 4-ジアリルアミノ-ブタ-2-エン酸[4-(3-クロロ-4-フルオロ-フェニルアミノ)-3シアノ-7-メトキシ-キノリン-6-イル]-アミドまたはその医薬的に許容できる塩；
s) 4-[ビス-(2-メトキシ-エチル)-アミノ]-ブタ-2-エン酸[4-(3-クロロ-4-フルオロフェニルアミノ)-3-シアノ-7-メトキシ-キノリン-6-イル]-アミドまたはその医薬的に許容できる塩；
t) 4-([1,3]ジオキソラン-2-イルメチル-メチルアミン)-ブタ-2-エン酸-3-シアノ-7-メトキシキノリン-6-イル]-アミドまたはその医薬的に許容できる塩；
u) 4[ビス-(ヒドロキシ-エチル)-アミノ]-ブタ-2-エン酸[4-(3-クロロ-4-フルオロフェニルアミノ)-3-シアノ-7-メトキシ-キノリン-6-イル]-アミドまたはその医薬的に許容できる塩；
v) 4-チオモルホリン-4-イル-ブタ-2-エン酸[4-(3-クロロ-4-フルオロフェニルアミノ)-3-シアノ-7-メトキシ-キノリン-6-イル]-アミドまたはその医薬的に許容できる塩；
w) 4-[4-(2-ヒドロキシ-エチル)-ピペラジン-1-イル]-ブタ-2-エン酸[4-(3-クロロ-4-フルオロフェニルアミノ)-3-シアノ-7-メトキシ-キノリン-6-イル]-アミドまたはその医薬的に許容できる塩；
x) 4-(1,4,7-トリオキサ-10-アザ-シクロドデシ-10-イル)-ブタ-2-エン酸[4-(3-クロロ-4-フルオロ-フェニルアミノ)-3-シアノ-7-メトキシ-キノリン-6-イル]-アミドまたはその医薬的に許容できる塩；
z) 4-(4-ヒドロキシ-ピペリジン-1-イル)-ブタ-2-エン酸[4-(3-クロロ-4-フルオロ-フェニルアミノ)-3-シアノ-7-メトキシ-キノリン-6-イル]-アミドまたはその医薬的に許容できる塩；
bb) 4-チアゾリジン-3-イル-ブタ-2-エン酸[4-(3-クロロ-4-フルオロ-フェニルアミノ)-3-シアノ-7-メトキシ-キノリン-6-イル]-アミドまたはその医薬的に許容できる塩；
cc) 3-[3-[4-(3-クロロ-4-フルオロ-フェニルアミノ)-3-シアノ-7-メトキシ-キノリン-6-イルカルバモイル]-アリル]-4-メチル-チアゾリ-3-イウム ブロミドまたはその医薬的に許容できる塩；
dd) 4-(2,6-ジメチル-ピペリジン-1-イル)-ブタ-2-エン酸[4-(3-クロロ-4-フルオロ-フェニルアミノ)-3-シアノ-7-メトキシ-キノリン-6-イル]-アミドまたはその医薬的に許容できる塩；
ee) 4-[ビス-(2-ヒドロキシ-プロピル)-アミノ]-ブタ-2-エン酸[4-(3-クロロ-4-フルオロ-フェニルアミノ)-3-シアノ-7-メトキシ-キノリン-6-イル]-アミドまたはその医薬的に許容できる塩；
ff) 4-(3-ヒドロキシ-ピロリジン-1-イル)-ブタ-2-エン酸[4-(3-クロロ-4-フルオロ-フェニルアミノ)-3-シアノ-7-メトキシ-キノリン-6-イル]-アミドまたはその医薬的に許容できる塩；
gg) 4-[(2-ヒドロキシ-エチル)-メチル-アミノ]-ブタ-2-エン酸[4-(3-クロロ-4-フルオロ-フェニルアミノ)-3-シアノ-7-メトキシ-キノリン-6-イル]-アミドまたはその医薬的に許容できる塩；
hh) 4-(2,5-ジメチル-ピロリジン-1-イル)-ブタ-2-エン酸[4-(3-クロロ-4-フルオロ-フェニルアミノ)-3-シアノ-7-メトキシ-キノリン-6-イル]-アミドまたはその医薬的に許容できる塩；
ii) 4-(4,4-ジヒドロキシ-ピペリジン-1-イル)-ブタ-2-エン酸[4-(3-クロロ-4-フルオロ-フェニルアミノ)-3-シアノ-7-メトキシ-キノリン-6-イル]-アミドまたはその医薬的に許容できる塩；
jj) 4-(3-クロロ-4-フルオロ-フェニルアミノ)-7-メトキシ-6-ピロリジン-1-イル-キノリン-3-カルボニトリルまたはその医薬的に許容できる塩；
kk) 4-(3-クロロ-4-フルオロアニリノ)-7-メトキシ-6-(1H-ピロリ-1-イル)-3-キノリンカルボニトリルまたはその医薬的に許容できる塩；
ll) 6-(1-アジリジニル)-4-(3-クロロ-4-フルオロアニリノ)-7-メトキシ-3-キノリンカルボニトリルまたはその医薬的に許容できる塩；
mm) 4-[(2-メトキシ-エチル)-メチル-アミノ]-ブタ-2-エン酸[4-(3-ブロモ-フェニルアミノ)-3-シアノ-7-エトキシ-キノリン-6-イル]-アミドまたはその医薬的に許容できる塩；
nn) 4-(2,4-ジクロロ-5-メトキシ-フェニルアミノ)-7-[3-(4-ヒドロキシ-ピペリジン-1-イル)-プロポキシ]-6-メトキシ-キノリン-3-カルボニトリルまたはその医薬的に許容できる塩；
oo) 4-(2,4-ジクロロ-5-メトキシ-フェニルアミノ)-7-[3-[4-(2-ヒドロキシ-エチル)-ピペラジン-1-イル]-プロポキシ]-6-メトキシ-キノリン-3-カルボニトリルまたはその医薬的に許容できる塩；
pp) 4-(2-ブロモ-4-クロロ-フェニルアミノ)-7-[2-[(2-ヒドロキシ-エチル)-メチル-アミノ]-エトキシ]-6-メトキシ-キノリン-3-カルボニトリルまたはその医薬的に許容できる塩；
qq) 4-(2,4-ジクロロ-5-メトキシ-フェニルアミノ)-7-[3-[(2-ヒドロキシ-エチル)-メチル-アミノ]-プロポキシ]-6-メトキシ-キノリン-3-カルボニトリルまたはその医薬的に許容できる塩；
rr) 4-(2,4-ジクロロ-5-メトキシ-フェニルアミノ)-6-メトキシ-7-(3-チオモルホリン-4-イル-プロポキシ)-キノリン-3-カルボニトリルまたはその医薬的に許容できる塩；
ss) 4-(2,4-ジクロロ-5-メトキシ-フェニルアミノ)-6-メトキシ-7-[3-(2-メトキシ-エチルアミノ)-プロポキシ]-キノリン-3-カルボニトリルまたはその医薬的に許容できる塩；
tt) 4-(2,4-ジクロロ-5-メトキシ-フェニルアミノ)-6-メトキシ-7-[3-(4-メチル-ピペリジン-1-イル)-プロポキシ]-キノリン-3-カルボニトリルまたはその医薬的に許容できる塩；
uu) 4-(2,4-ジクロロ-5-メトキシ-フェニルアミノ)-7-[3-(2,6-ジメチル-モルホリン-4-イル)-プロポキシ]-6-メトキシ-キノリン-3-カルボニトリルまたはその医薬的に許容できる塩；
vv) 4-(2-ブロモ-4-クロロ-フェニルアミノ)-7-[2-[4-(2-ヒドロキシ-エチル)-ピペラジン-1-イル]-エトキシ]-6-メトキシ-キノリン-3-カルボニトリルまたはその医薬的に許容できる塩；
ww) 4-(2-ブロモ-4-クロロ-フェニルアミノ)-7-[2-(4-ヒドロキシ-ピペリジン-1-イル)-エトキシ]-6-メトキシ-キノリン-3-カルボニトリルまたはその医薬的に許容できる塩；
xx) 4-(2-ブロモ-4-クロロ-フェニルアミノ)-6-メトキシ-7-(2-チオモルホリン-4-イル-エトキシ)キノリン-3-カルボニトリルまたはその医薬的に許容できる塩；
yy) 4-(2,4-ジクロロ-5-メトキシ-フェニルアミノ)-7-[3-(2,5-ジメチル-ピロリジン-1-イル)-プロポキシ]-6-メトキシ-キノリン-3-カルボニトリルまたはその医薬的に許容できる塩；
zz) 4-(2,4-ジクロロ-5-メトキシ-フェニルアミノ)-7-[3-(3-ヒドロキシ-プロピルアミノ)-プロポキシ]-6-メトキシ-キノリン-3-カルボニトリルまたはその医薬的に許容できる塩；
bbb) 7-[3-(4-アセチル-1-ピペラジニル)プロポキシ]-4-[(2,4-ジクロロ-5-メトキシフェニル)アミノ]-6-メトキシ-3-キノリンカルボニトリルまたはその医薬的に許容できる塩；
ccc) 4-(3-クロロ-4-フルオロアニリノ)-7-メトキシ-6(4-モルホリニル)-3-キノリンカルボニトリルまたはその医薬的に許容できる塩；
eee) 4-(2,4-ジクロロ-5-メトキシ-フェニルアミノ)-7-[3-(2-ヒドロキシ-エチルアミノ)-プロポキシ]-6-メトキシ-キノリン-3-カルボニトリルまたはその医薬的に許容できる塩；
fff) 4-(2,4-ジクロロ-5-メトキシ-フェニルアミノ)-7-[3-[エチル-(2-ヒドロキシ-エチル)-アミノ]-プロポキシ]-6-メトキシ-キノリン-3-カルボニトリルまたはその医薬的に許容できる塩；  
ggg) 7-[3-[ビス-(2-メトキシ-エチル)-アミノ]-プロポキシ]-4-(2,4-ジクロロ-5-メトキシ-フェニルアミノ)-6-メトキシ-キノリン-3-カルボニトリルまたはその医薬的に許容できる塩；
hhh) 7-[3-[ビス-(2-ヒドロキシ-エチル)-アミノ]-プロポキシ]-4-(2,4-ジクロロ-5-メトキシ-フェニルアミノ)-6-メトキシ-キノリン-3-カルボニトリルまたはその医薬的に許容できる塩；
iii) 4-(3-クロロ-4-フルオロアニリノ)-7-(4-モルホリニル)-6-ニトロ-3-キノリンカルボニトリルまたはその医薬的に許容できる塩；
jjj) N-[4-(3-クロロ-4-フルオロアニリノ)-3-シアノ-7-(4-モルホリニル)-6-キノリニル]-2-ブチンアミドまたはその医薬的に許容できる塩；
kkk) 6-アミノ-4-(3-クロロ-4-フルオロアニリノ)-7-(4-モルホリニル)-3-キノリンカルボニトリルまたはその医薬的に許容できる塩；
lll) 4-(2,4-ジクロロ-5-メトキシアニリノ)-6-メトキシ-7-(3-[[2-(4--モルホリニル)エチル]アミノ]プロポキシ)-3-キノリンカルボニトリルまたはその医薬的に許容できる塩；
mmm) 7-[3-[(2-アニリノエチル)アミノ]プロポキシ]-4-(2,4-ジクロロ-5-メトキシアニリノ)-6-メトキシ-キノリンカルボニトリルまたはその医薬的に許容できる塩；
nnn) N-[4-(3-クロロ-4-フルオロアニリノ)-3-シアノ-7-(4-モルホリニル)-6-キノリニル]アクリルアミドまたはその医薬的に許容できる塩；
ooo) 4-(3-クロロ-4-フルオロアニリノ)-7-[4-[2-(ジメチルアミノ)エチル]-1-ピペラジニル]-6-ニトロ-3-キノリンカルボニトリルまたはその医薬的に許容できる塩；
ppp) 6-アミノ-4-(3-クロロ-4-フルオロアニリノ)-7-[4-[2-(ジメチルアミノ)エチル]-1-ピペラジニル]-3-キノリンカルボニトリルまたはその医薬的に許容できる塩；
qqq) N-(4-(3-クロロ-4-フルオロアニリノ)-3-シアノ-7-[4-[2-(ジメチルアミノ)エチル]-1-ピペラジニル]-6-キノリニル)アクリルアミドまたはその医薬的に許容できる塩；
rrr) 4-(2,4-ジクロロ-5-メトキシアニリノ)-6-メトキシ-7-([2-[4-(2-メトキシエチル)-1-ピペラジニル]エチル]アミノ)-3-キノリンカルボニトリルまたはその医薬的に許容できる塩；
sss) 4-(2,4-ジクロロ-5-メトキシアニリノ)-6-メトキシ-7-[3-(2H-1,2,3-トリアゾール-2-イル)プロポキシ]-3-キノリンカルボニトリルまたはその医薬的に許容できる塩；
ttt) 4-(2,4-ジクロロ-5-メトキシアニリノ)-6-メトキシ-7-[3-(1H-1,2,3-トリアゾール-1-イル)プロポキシ]-3-キノリンカルボニトリルまたはその医薬的に許容できる塩；
uuu) 4-(2,4-ジクロロ-5-メトキシアニリノ)-6-メトキシ-7-(3-チエニル)-3-キノリンカルボニトリルまたはその医薬的に許容できる塩；
www) 4-(2,4-ジクロロ-5-メトキシアニリノ)-6-メトキシ-7-[[2-(2H-1,2,3-トリアゾール-2-イル)エチル]アミノ]-3-キノリンカルボニトリルまたはその医薬的に許容できる塩；
xxx) 4-(2,4-ジクロロ-5-メトキシアニリノ)-6-メトキシ-7-[[2-(1H-1,2,3-トリアゾール-1-イル)エチル]アミノ]-3-キノリンカルボニトリルまたはその医薬的に許容できる塩；
yyy) 4-(2,4-ジクロロ-5-メトキシアニリノ)-7-(3-チエニル)-3-キノリンカルボニトリルまたはその医薬的に許容できる塩；
zzz) 4-(2,4-ジクロロ-5-メトキシアニリノ)-6-メトキシ-7-[3-(1H-1,2,4-トリアゾール-1-イル)プロポキシ]-3-キノリンカルボニトリルまたはその医薬的に許容できる塩；
aaaa) 4-(2,4-ジクロロ-5-メトキシアニリノ)-7-[3-(1H-イミダゾール-1-イル)プロポキシ]-6-メトキシ-3-キノリンカルボニトリルまたはその医薬的に許容できる塩；
cccc) N-[3-シアノ-4-(2,4-ジクロロ-5-メトキシアニリノ)-6-メトキシ-7-キノリニル]-N-[4-(4-エチル-1-ピペラジニル)ブチル]アセトアミドまたはその医薬的に許容できる塩；
dddd) N-[3-シアノ-4-(2,4-ジクロロ-5-メトキシアニリノ)-6-メトキシ-7-キノリニル]-N-(3-(4-エチル-1-ピペラジニル)プロピル)アセトアミドまたはその医薬的に許容できる塩；
eeee) 4-(2,4-ジクロロ-5-メトキシアニリノ)-6-メトキシ-7-[3-[4-(2-メトキシエチル)-1-ピペラジニル]プロポキシ]-3-キノリンカルボニトリルまたはその医薬的に許容できる塩；
ffff) 4-(2,4-ジクロロ-5-メトキシアニリノ)-6-メトキシ-7-(1H-ピロリ-1-イル)-3-キノリンカルボニトリルまたはその医薬的に許容できる塩；
gggg) 4-(4-ブロモ-2-フルオロアニリノ)-6-メトキシ-7-[2-(1H-1,2,3-トリアゾール-1-イル)エトキシ]-3-キノリンカルボニトリルまたはその医薬的に許容できる塩；
hhhh) 4-(4-ブロモ-2-フルオロアニリノ)-6-メトキシ-7-[2-(2H-1,2,3-トリアゾール-2-イル)エトキシ]-3-キノリンカルボニトリルまたはその医薬的に許容できる塩；
iiii) 4-(2,4-ジクロロ-5-メトキシアニリノ)-6-メトキシ-7-[3-(1H-テトラアゾール-1-イル)-プロポキシ]-3-キノリンカルボニトリルまたはその医薬的に許容できる塩；
jjjj) 4-(2,4-ジクロロ-5-メトキシアニリノ)-6-メトキシ-7-[3-(2H-テトラアゾール-2-イル)-プロポキシ]-3-キノリンカルボニトリルまたはその医薬的に許容できる塩；
kkkk) 4-(4-ブロモ-2-フルオロアニリノ)-6-メトキシ-7-[2-(1H-1,2,3-トリアゾール-1-イル)エトキシ]-3-キノリンカルボニトリルまたはその医薬的に許容できる塩；
llll) 4-(4-ブロモ-2-フルオロアニリノ)-6-メトキシ-7-[2-(2H-1,2,3-トリアゾール-2-イル)エトキシ]-3-キノリンカルボニトリルまたはその医薬的に許容できる塩；あるいは
mmmm) 4-(2,4-ジクロロ-5-メトキシアニリノ)-7-[3-[[2-(ジメチルアミノ)エチル](メチル)アミノ]プロポキシ]-6-メトキシ-3-キノリンカルボニトリルまたはその医薬的に許容できる塩、
である請求項１に記載の化合物。